(57)【特許請求の範囲】
【請求項１】
複数の色調の発光素子が画素毎に配置された表示部と、画像データに基づいてそれぞれの前記発光素子に駆動電流を供給する駆動部とからなる画像表示装置の表示を補正する画像表示装置補正システムであって、
前記画像表示装置補正システムは、
前記表示部の全面に対して輝度を少なくとも画素毎に判別可能な２次元受光素子を有する画像読み取り装置と、
前記画像表示装置に所定の画像データを供給し、かつ前記駆動部における駆動電流を設定する画像表示補正装置とから構成され、
さらに、前記画像表示補正装置は、
基準とする画像表示装置に前記所定の画像データを供給して駆動させ、画像読み取り装置によって読み取られた画像の輝度を画素毎に読み取り、読み取ったそれぞれの輝度が所定値になるような演算フィルターを記憶する演算フィルター記憶部と、
補正すべき画像表示装置に前記所定の画像データを供給して駆動させ、画像読み取り装置によって読み取られた画像の輝度を前記演算フィルターを介して読み取り、算出した輝度の平均値を記憶する輝度データ記憶部と、
前記輝度データ記憶部において記憶された輝度の平均値と前記所定値との差に基づき補正すべき画像表示装置の輝度の平均値が前記所定値に近づくよう、前記駆動部から供給されるそれぞれの発光素子に対する駆動電流を色調毎に設定する輝度制御部と
を有することを特徴とする画像表示装置補正システム。
【請求項２】
前記輝度データ記憶部は、さらに、前記演算フィルターを介して読み取った輝度を発光素子毎に記憶し、
前記輝度制御部は、前記輝度データ記憶部において記憶された画素毎の輝度と前記所定値との差に基づき、補正すべき画像表示装置における各発光素子の輝度が前記所定値に近づくよう、前記駆動部から供給されるそれぞれの発光素子に対する駆動電流を発光素子毎に設定することを特徴とする請求項１に記載の画像表示装置補正システム。
【請求項３】
複数の色調の発光素子が画素毎に配置された表示部と、画像データに基づいてそれぞれの前記発光素子に駆動電流を供給する駆動部とからなる画像表示装置の表示を、前記表示部の全面に対して輝度を少なくとも画素毎に判別可能な２次元受光素子を有する画像読み取り装置を用いて補正する画像表示装置の補正方法であって、
基準とする画像表示装置に所定の画像データを供給して駆動させ、画像読み取り装置によって読み取られた画像の輝度を発光素子毎に読み取り、読み取ったそれぞれの輝度が所定値になるような演算フィルターを作成する演算フィルター作成工程と、
補正すべき画像表示装置に前記所定の画像データを供給して駆動させ、画像読み取り装置によって読み取られた画像の輝度を演算フィルターを介して読み取り、算出した輝度の平均値を記憶する平均輝度読み取り工程と、
前記輝度読み取り工程において記憶された輝度の平均値と前記所定値との差に基づき補正すべき画像表示装置の輝度の平均値が前記所定値に近づくよう、前記駆動部から供給されるそれぞれの発光素子に対する駆動電流を色調毎に設定する平均輝度設定工程と
からなることを特徴とする画像表示装置の補正方法。
【請求項４】
前記画像表示装置の補正方法は、
演算フィルターを介して読み取った輝度を発光素子毎に記憶するドット輝度読み取り工程と、
前記ドット輝度読み取り工程において記憶された発光素子毎の輝度と前記所定値との差に基づき、補正すべき画像表示装置における各発光素子の輝度が前記所定値に近づくよう、前記駆動部から供給されるそれぞれの発光素子に対する駆動電流を発光素子毎に設定するドット輝度設定工程とを前記平均輝度設定工程よりも前に行われることを特徴とする請求項３に記載の画像表示装置の補正方法。
【発明の詳細な説明】
【０００１】
【発明の属する技術分野】
本発明は、複数の色調の発光素子が画素毎に配置された画像表示装置に関し、詳細には、発光素子の特性ばらつきに応じて発光量を補正する機能を備えた画像表示装置補正システムおよび画像表示装置の補正方法に関する。
【０００２】
【従来の技術】
今日、発光ダイオード（ＬＥＤ）等の高輝度の発光素子がＲＧＢそれぞれ開発され、大型の自発光型フルカラーディスプレイが作製されるようになっている。中でも、ＬＥＤディスプレイは軽量、薄型化が可能で且つ消費電力が低い等の特徴を有し、屋外でも使用可能な大型ディスプレイとして需要が急激に増加している。
【０００３】
屋外に設置するような大型ＬＥＤディスプレイの場合は、一般に複数のＬＥＤユニットを組み合わせることにより構成されており、分割された画像領域のうち指定された画像領域に対応する画像が各々のＬＥＤユニットに表示され、ＬＥＤディスプレイ全体にすべての画像領域が表示される。ＬＥＤユニットには、基板上にＲＧＢを一組とする発光ダイオードが画素マトリクス状に配置されており、各々のＬＥＤユニットが上述のＬＥＤディスプレイと同様の動作を行う。サイズの大きな大型ＬＥＤディスプレイでは、例えば、縦３００×横４００の合計１２万画素ものＬＥＤが使用される。
【０００４】
ＬＥＤユニットの駆動方式としては、一般にダイナミック駆動方式が用いられている。例えば、ｍ行ｎ列のマトリクス状に構成されたＬＥＤディスプレイの場合、各行に位置するＬＥＤのアノード端子が１つのコモンソースラインに共通に接続され、各列に位置するＬＥＤのカソード端子が１つの電流ラインに共通に接続されている。ｍ行あるコモンソースラインが所定の周期で順次ＯＮされ、ＯＮしたラインに対応する画像データに応じて、ｎ列ある電流ラインに駆動電流が供給される。これにより各画素のＬＥＤにその画像データに応じた駆動電流が印加され、画像が表示される。
【０００５】
画像データが正確にＬＥＤディスプレイ上に再現されるためには、個々のＬＥＤの光出力特性（駆動電流−輝度特性）が均一であることが必要となる。ところが、ＬＥＤは半導体技術によってウエハ上に形成されるが、製造ロット、ウエハ又はチップによって光出力特性のばらつきが生じる。このため、ＬＥＤユニット毎にホワイトバランスや平均輝度にばらつきが生じ、人の目にＬＥＤユニットの境界部分で画像の不連続が感じられるという問題があった。このため、予め所定のホワイトバランスおよび面輝度を設定し、各ＬＥＤユニットの各画素のＬＥＤ光出力特性のばらつきに合わせて、画像データに対応する駆動電流の大きさを補正してＬＥＤユニットの補正を行う必要があった。
【０００６】
そこで、従来の画像表示装置の補正は以下のように行われていた。
【０００７】
ＬＥＤユニットに、所定の画像に関する画像データたとえばＲＧＢそれぞれの単色発光表示および同時発光による白色表示を輝度色度計で読み込み、ホワイトバランスおよび面輝度（輝度の平均値）が所定の値になるように設定される。輝度色度計においては、ＬＥＤユニット全体の面平均値としての輝度および色度が正確に得られるものの、１画素毎の輝度、色度については得ることができない。そのため、次に別途、フォトセンサーを用いてそれぞれのＬＥＤの相対輝度を１画素毎に正確に得ることによって、画素毎の輝度ばらつきを補正する。この工程によって、ホワイトバランス、面輝度および画素輝度ばらつきが補正されたＬＥＤユニットを得ることができる。
【本発明が解決しようとする課題】
しかし、輝度色度計およびフォトセンサーによる画像表示装置の補正は正確にホワイトバランスおよび面輝度補正を行うことができる反面、画像表示装置の補正に時間がかかるという問題点があった。そこで本発明は、製造ラインコストの上昇を招くことなく、効率的にホワイトバランスおよび面輝度補正等の画像表示装置の補正を行うことができる画像表示装置補正システムおよび画像表示装置の補正方法を提供することを目的とする。
【０００８】
【課題を解決するための手段】
本発明の画像表示装置補正システムは、
複数の色調の発光素子が画素毎に配置された表示部と、画像データに基づいてそれぞれの前記発光素子に駆動電流を供給する駆動部とからなる画像表示装置の表示を補正する画像表示装置補正システムであって、前記画像表示装置補正システムは、前記表示部の全面に対して輝度を少なくとも画素毎に判別可能な２次元受光素子を有する画像読み取り装置と、前記画像表示装置に所定の画像データを供給し、かつ前記駆動部における駆動電流を設定する画像表示補正装置とから構成され、さらに、前記画像表示補正装置は、基準とする画像表示装置に前記所定の画像データを供給して駆動させ、画像読み取り装置によって読み取られた画像の輝度を画素毎に読み取り、読み取ったそれぞれの輝度が所定値になるような演算フィルターを記憶する演算フィルター記憶部と、補正すべき画像表示装置に前記所定の画像データを供給して駆動させ、画像読み取り装置によって読み取られた画像の輝度を前記演算フィルターを介して読み取り、算出した輝度の平均値を記憶する輝度データ記憶部と、前記輝度データ記憶部において記憶された輝度の平均値と前記所定値との差に基づき補正すべき画像表示装置の輝度の平均値が前記所定値に近づくよう、前記駆動部から供給されるそれぞれの発光素子に対する駆動電流を色調毎に設定する輝度制御部と
を有する構成とする。
【０００９】
これによって、効率的にホワイトバランスおよび面輝度補正等の画像表示装置の補正を行うことができる画像表示装置補正システムを提供することができる。
【００１０】
さらに、本発明の画像表示装置補正システムは前記輝度データ記憶部は、さらに、  前記輝度データ記憶部は、さらに、前記演算フィルターを介して読み取った輝度を発光素子毎に記憶し、前記輝度制御部は、前記輝度データ記憶部において記憶された画素毎の輝度と前記所定値との差に基づき、補正すべき画像表示装置における各発光素子の輝度が前記所定値に近づくよう、前記駆動部から供給されるそれぞれの発光素子に対する駆動電流を発光素子毎に設定する構成とすることによって、画素輝度ばらつきについても効率的に補正を行うことができる。
【００１１】
また、本発明の画像表示装置の補正方法は、複数の色調の発光素子が画素毎に配置された表示部と、画像データに基づいてそれぞれの前記発光素子に駆動電流を供給する駆動部とからなる画像表示装置の表示を、前記表示部の全面に対して輝度を少なくとも画素毎に判別可能な２次元受光素子を有する画像読み取り装置を用いて補正する画像表示装置の補正方法であって、基準とする画像表示装置に所定の画像データを供給して駆動させ、画像読み取り装置によって読み取られた画像の輝度を発光素子毎に読み取り、読み取ったそれぞれの輝度が所定値になるような演算フィルターを作成する演算フィルター作成工程と、補正すべき画像表示装置に前記所定の画像データを供給して駆動させ、画像読み取り装置によって読み取られた画像の輝度を演算フィルターを介して読み取り、算出した輝度の平均値を記憶する平均輝度読み取り工程と、前記輝度読み取り工程において記憶された輝度の平均値と前記所定値との差に基づき補正すべき画像表示装置の輝度の平均値が前記所定値に近づくよう、前記駆動部から供給されるそれぞれの発光素子に対する駆動電流を色調毎に設定する平均輝度設定工程とからなる構成とする。
【００１２】
これによって、効率的にホワイトバランスおよび面輝度補正等の画像表示装置の補正を行うことができる画像表示装置の補正方法を提供することができる。
【００１３】
さらに、本発明の画像表示装置の補正方法は、前記画像表示装置の補正方法は、演算フィルターを介して読み取った輝度を発光素子毎に記憶するドット輝度読み取り工程と、  前記ドット輝度読み取り工程において記憶された発光素子毎の輝度と前記所定値との差に基づき、補正すべき画像表示装置における各発光素子の輝度が前記所定値に近づくよう、前記駆動部から供給されるそれぞれの発光素子に対する駆動電流を発光素子毎に設定するドット輝度設定工程とを前記平均輝度設定工程よりも前に行われる構成とすることによって、画素輝度ばらつきについても効率的に補正を行うことができ、かつ画素輝度ばらつきの補正後に面輝度補正を行っているため、ホワイトバランスの補正を良好に行うことができる。
【００１４】
【発明の実施の形態】
図１に本発明における画像表示装置補正システムの概略図を示す。１は分割された画像領域のうち指定された画像領域に対応する画像を表示する画像表示装置の一例であるＬＥＤユニットを示す。ＬＥＤユニット１は画像表示補正装置５に接続される。画像表示補正装置５は、ＬＥＤユニット１に所定の画像を表示させ、そのときのＬＥＤの輝度を、ＬＥＤユニット１の全面に対して少なくとも１画素毎に輝度を判別可能な２次元受光素子を有する画像読み取り装置であるＣＣＤカメラ７によって読み込む。少なくとも１画素毎に輝度を判別可能な２次元受光素子を有する画像読み取り装置であるＣＣＤカメラ７で、ＬＥＤユニット１の画像表示を読み込むことで、色調毎に発光素子を駆動させることによって発光素子毎に輝度を測定できるからである。ＬＥＤユニット１からの表示画像の光は、ＣＣＤカメラ７に取り付けられた光学的なフィルターである視感度フィルターを通して各ＣＣＤ素子に入力される。視感度フィルターは、可視光領域におけるＣＣＤカメラの感度特性と人間の視感度特性とのずれを補正するために取り付けられる。さらに、画像表示補正装置５は、ＣＣＤカメラ７によって読み込まれた輝度に関する輝度データと所定値とを比較し、その比較結果に基づいてＬＥＤユニット１の表示を補正する。
【００１５】
図２に、ＬＥＤユニット１の概略的なブロック図を示す。１１は分割された画像領域のうち指定された画像領域に対応する画像を表示する表示部１１である。表示部１１はたとえば３つの色調に対応するＲＧＢのそれぞれのＬＥＤを絵素（ドット）として組み合わせて１画素が構成され、複数の画素がｍ行ｎ列のマトリクス状に配置されて構成される。
【００１６】
補正データ記憶部３２は、表示部１１の輝度およびホワイトバランスの補正に必要な補正データが記憶されている。補正データ記憶部３２としては、たとえばＥＥＰＲＯＭが用いられる。補正データ記憶部３２には、電流供給部１４において各色調毎に供給する所定の電流量を制御するために必要なデータであるホワイトバランス補正データおよび面輝度補正データと、輝度補正部１３において各発光素子毎に輝度を補正するために必要なドット輝度補正データとを記憶している。補正データは通信部３３を介して画像表示補正装置５から設定される。
【００１７】
補正データ制御部３１は補正に必要な補正データを、電流供給部１４および輝度補正部１３にそれぞれ書き込む。外部から入力された画像データは、画像入力部１９を介して駆動時間制御部１２に入力される。駆動時間制御部１２には、輝度補正部１３によって補正された電流量の電流が供給され、供給された電流を、画像データに基いたパルス幅によって駆動時間を制御し、パルス駆動電流として表示部１１に入力する。このとき、駆動時間制御部１２は、パルス幅ではなく一定のパルスの駆動回数等によって制御してもよい。
【００１８】
アドレス生成部１８は、入力された垂直同期信号Ｖｓおよび水平同期信号Ｈｓに対応する行を示すアドレスを生成し、コモンドライバー１７に入力する。コモンドライバー１７は入力されたアドレスに対応する行を駆動する。また、駆動時間制御部１２はセグメントドライバーを兼ねており、水平同期信号Ｖｓに対応する列を駆動しコモンドライバー１７と併せて時分割に１つの画素を駆動し、マトリックス表示を実現する。
【００１９】
次に、表示部１１の輝度およびホワイトバランスの補正について説明する。電流供給部１４において、補正データ記憶部３２に記憶されたホワイトバランス補正データおよび面輝度補正データに基づき、電流供給部１４から供給される電流がＲＧＢ毎に補正される。このようにして、ＬＥＤユニット１全体のホワイトバランスおよび面輝度が補正され、各ＬＥＤユニット１毎のばらつきが防止される。
【００２０】
輝度補正部１３においては、補正データ記憶部３２に各発光素子毎に記憶されたドット輝度補正データに基づき、各ＬＥＤに供給される駆動電流がＬＥＤ子毎に補正される。このようにして、各ＬＥＤの輝度が調整され、同じＬＥＤユニット１内の各発光素子毎の輝度のばらつきが防止される。
【００２１】
したがって、各ＬＥＤユニット毎の輝度およびホワイトバランスのばらつきだけでなく、同じＬＥＤユニット内の各画素毎の輝度のばらつきを防止することが可能となる。
【００２２】
また、電流供給部１４において、まずホワイトバランス補正データおよび面輝度補正データに基づいてＲＧＢそれぞれの色調に対応する各ＬＥＤに対して供給される駆動電流が補正された後、輝度補正部１３において各画素それぞれ個別に駆動電流を補正することによって、ホワイトバランス補正、面輝度補正およびドット輝度補正といった各要素毎に補正が可能になる。
【００２３】
次に、画像表示補正装置５の概略図を図３に示す。ＣＣＤカメラ７によって読み取られた輝度に関する電気信号は、輝度入力部５２においてたとえば０〜２５５のデジタル信号に変換される。変換されたデジタル信号は、演算フィルター作成工程においては、ＣＣＤ校正部５３で読み取ったそれぞれの輝度が所定値になるような演算フィルターを作成し、ＣＣＤ校正部５３内の演算フィルター記憶部に記憶する。また、ＣＣＤ校正部５３は、ドット輝度読み取り工程および平均輝度読み取り工程においては、変換されたデジタル信号を演算フィルターを用いて補正し、補正した輝度データを輝度制御部５１に入力する。輝度制御部５１は、入力された輝度データから輝度データの平均値を算出し、算出した輝度データの平均値および発光素子毎の輝度データを輝度データ記憶部５４に記憶させる。
【００２４】
さらに、輝度制御部５１においては、輝度データ記憶部において記憶された輝度データの平均値と所定値との差に基づき、輝度の平均値が所定値に近づくよう、通信部５６を介してＬＥＤユニット１の補正データ記憶部３２内の面輝度補正データを色調毎に設定することよって駆動電流を制御する。駆動電流の制御は供給する電流量あるいは駆動時間によって制御することができる。また、輝度制御部５１は、輝度データ記憶部において記憶されたＬＥＤ毎の輝度データと前記所定値との差に基づき、各ＬＥＤの輝度が所定値に近づくよう、通信部５６を介してＬＥＤユニット１の補正データ記憶部３２内のドット輝度補正データをそれぞれのＬＥＤの画素毎に設定することよって駆動電流を制御する。ＬＥＤユニット１に供給される所定の画像データは、画像出力部５５を介してＬＥＤユニット１に出力される。
【００２５】
本発明においては、演算フィルター作成工程において、基準ユニットを元に演算フィルターを作成することによって、ＬＥＤ固有の配向特性のばらつきおよびＣＣＤ素子７２の感度ばらつきを補正することができる。このように演算フィルターを作成して画像データを読み取ることによって、高精度な電流−輝度特性を取得することができる。
【００２６】
以下にそのＬＥＤユニット１の表示補正方法を説明する。
【００２７】
まず、ＣＣＤカメラ７の校正のために必要な基準ＬＥＤユニットを作成する。基準ＬＥＤユニットには、画像入力部１９を介して、所定の画像に関する画像データが入力され、その表示画像を輝度色度計で読み込み、ホワイトバランスおよび面輝度が所定の値になるよう補正データ記憶部３２にホワイトバランス補正データおよび面輝度補正データがそれぞれ設定され、記憶される。この輝度色度計においては、ＬＥＤユニット１の全面に対する輝度およびホワイトバランスが正確に測定できるが、それぞれのＬＥＤに関する輝度に関しては測定できない。そこでフォトセンサーを用いてそれぞれのＬＥＤの相対輝度を正確に測定する。そして、それぞれの画素の輝度のばらつきを補正するようＬＥＤユニット１内の補正データ記憶部３２のドット輝度補正データを設定し、記憶させ、ホワイトバランス、面輝度およびドット輝度ばらつきが正確に補正された基準ＬＥＤユニットが得られる。
【００２８】
所定の画像に関する画像データとしては、たとえば、ＲＧＢそれぞれの画像データの最大値によるＲＧＢ毎の全ＬＥＤ駆動表示、およびＲＧＢの画像データの最大値による白色全ＬＥＤ駆動表示が挙げられる。これらの画像を、所定の色温度、およびＲＧＢの画像データの最大値に対応する所定の面平均輝度になるようＲＧＢそれぞれに供給される駆動電流が設定される。
【００２９】
次に、輝度色度計およびフォトセンサーを用いて正確に調整された基準ユニットに基づいて、各ＬＥＤユニットの表示補正を行うＬＥＤユニット表示補正処理を、図４のフローチャートを用いて説明する。
【００３０】
基準ユニット読み取り工程Ｓ１では、基準ユニットをＣＣＤカメラ７によってその表示画像を読み取れるように配置し、画像表示補正装置５に接続する。そして、画像表示補正装置５は、画像入力部１９を介して、所定の画像に関する画像データを基準ユニットに入力し、ＣＣＤカメラ７を介して、ＣＣＤ校正部５３に演算フィルターの設定がなされていない状態でＬＥＤ毎に対応する輝度データを読み込む。そして、演算フィルター作成工程Ｓ２において、画像表示補正装置５は、読み込んだ各ＬＥＤの画像データが基準ホワイトバランスおよび基準面輝度が設定されたと見なされる所定値となるよう演算フィルターを作成し、ＣＣＤ校正部５３に設定する。所定値としては、たとえば、ＲＧＢそれぞれの画像データの最大値によるＲＧＢ毎の全ＬＥＤ駆動表示に対応するそれぞれの輝度の平均値が挙げられる。この処理によって、ＬＥＤユニットからの表示光に対するＣＣＤカメラ７の感度補正が行われる。特に、ＣＣＤカメラ７を複数台設置してＬＥＤユニット１の表示補正を行うようなＬＥＤユニットの量産時においては、それぞれのＣＣＤカメラ７の感度ばらつきを共通の基準ユニットを用いて行うことができ、ＣＣＤカメラ７の感度ばらつきに起因するＬＥＤユニット１の表示ばらつきを防止することができる。
【００３１】
次に、ＬＥＤユニット輝度読み取り工程Ｓ３においては、ホワイトバランスおよび面輝度の補正が行われていないＬＥＤユニット１をＣＣＤカメラ７によってその表示画像を読み取れるように配置し、画像表示補正装置５に接続する。画像表示補正装置５は、基準ユニット読み取り工程Ｓ１と同様に、画像入力部１９を介して所定の画像に関する画像データをＬＥＤユニット１に入力し、ＣＣＤカメラ７および演算フィルターが設定された状態のＣＣＤ校正部５３によって補正された輝度データをＬＥＤ毎に読み取り記憶する。それと同時に、ＬＥＤ毎に対応する読み込んだ輝度データのＬＥＤユニット全体に関する輝度の平均値を算出し、記憶する。ＬＥＤユニット輝度読み取り工程Ｓ３は、この輝度データをＬＥＤ毎に読み取り記憶する画素輝度読み取り工程と、ＬＥＤユニット全体に関する輝度の平均値を算出し、記憶する平均輝度読み取り工程とを含む。
【００３２】
次に、電流−輝度特性取得工程Ｓ４において、各ＬＥＤに供給する駆動電流を、ＬＥＤユニット１内部の補正データ記憶部３１のドット輝度補正データを設定することによって変化させ、各ＬＥＤの電流−輝度特性を取得する。
【００３３】
ここで、電流−輝度特性取得工程Ｓ４内の処理について図５のフローチャートを用いて説明する。まず、ステップＳ４１において、それぞれの画素のＬＥＤをＲＧＢ毎に全表示させ、ＬＥＤ毎にそれぞれの輝度データを読み取り、ＲＧＢ毎にＬＥＤユニット１全体の輝度の平均値を算出する。次に、ステップＳ４２において、各画素のＲＧＢそれぞれのＬＥＤの輝度データとＲＧＢそれぞれの輝度の平均値とを比較し、ＬＥＤの輝度データの方が大きいときはステップＳ４３に移行し、ＬＥＤの輝度データの方が小さいときはステップＳ４４に移行する。ステップＳ４３においては、ＬＥＤユニット１内の補正データ記憶部３２にドット輝度補正データの最小値が設定され、記憶される。また、ステップＳ４４においては、ＬＥＤユニット１内の補正データ記憶部３２にドット輝度補正データの最大値が設定され、記憶される。次に、ステップＳ４５においては、ＬＥＤの画像データと輝度の平均値との比較が、すべての画素およびＲＧＢについて行われたかどうかを判断し、すべて行われたときは処理Ｓ４を終了し、すべて行われていないときはステップＳ４２に戻り、同じ処理が他の画素、他の色調について行われる。
【００３４】
次に、画素輝度設定工程Ｓ５においては、まずステップＳ５１において、ＬＥＤユニット１が補正データ記憶部３２に設定されたドット輝度補正データに基づいて所定の画像を表示し、各画素の輝度データがＲＧＢ毎に取得される。次に、ステップＳ５２においては、ステップＳ５１において取得した各画素のＲＧＢ毎の輝度データとＲＧＢそれぞれの輝度の平均値との差に基づき、各画素のＲＧＢそれぞれのＬＥＤの輝度データがＲＧＢそれぞれの輝度の平均値になるようにドット輝度補正データを算出して、ＬＥＤユニット１内の補正データ記憶部３２に算出したドット輝度補正データを設定し、記憶させる。次に、ステップＳ５３においては、ＬＥＤユニット１が補正データ記憶部３２に設定されたドット輝度補正データに基づいて所定の画像を表示し、各ＬＥＤの輝度データがＲＧＢ毎に取得される。次に、ステップＳ５４においては、各画素のＲＧＢそれぞれのＬＥＤの輝度データとＲＧＢそれぞれの輝度の平均値との差を算出し、すべての画素のＲＧＢそれぞれの差が許容範囲内か否かを判断する。そのすべての差が許容範囲内と判断したときには画素輝度設定工程Ｓ５は終了する。そのすべての差が許容範囲内ではないと判断したときはステップＳ５５に移行する。ステップＳ５５においては、電流−輝度特性取得工程Ｓ４の処理の再処理が行われたか否かを判断する。再処理が行われていたと判断したときには、ステップＳ５６に移行して異常を表示し、画素輝度設定工程Ｓ５を終了する。再処理が行われていないと判断したときには、電流−輝度特性の取得工程Ｓ４の再処理を行う。
【００３５】
このように、電流−輝度特性取得工程Ｓ４において、電流−輝度特性を、各画素のＲＧＢそれぞれのＬＥＤの輝度データとＲＧＢそれぞれの輝度の平均値とを比較し、その大小に応じてドット輝度補正データの設定を行うことによって、必要な範囲の電流−輝度特性を、最小の輝度データ取得回数としながらも高精度なドット輝度補正データの算出を行うことができる。
【００３６】
次に、平均輝度設定工程Ｓ６においては、ドット輝度設定工程Ｓ５においてドットばらつきが補正された状態を保持しながら、ＲＧＢそれぞれの輝度の平均値をそれぞれの所定値と一致するよう補正し、結果ホワイトバランスの補正も達成される。この補正は、ＬＥＤユニット１内の補正データ記憶部３２の、面輝度補正データを設定し、記憶させることによって行われる。
【００３７】
【発明の効果】
本発明の画像表示装置補正システムおよび画像表示装置の補正方法によって、効率的にホワイトバランスおよび面輝度補正等の画像表示装置の補正を行うことができる。
【図面の簡単な説明】
【図１】本発明における画像表示装置補正システムの概略図である。
【図２】本発明における画像表示装置の例であるＬＥＤユニットの概略図である。
【図３】本発明における画像表示補正装置の概略図である。
【図４】本発明におけるＬＥＤユニット表示補正処理に関するフローチャートである。
【図５】本発明における電流−輝度特性取得工程に関するフローチャートである。
【図６】本発明におけるドット輝度設定工程に関するフローチャートである。
【符号の説明】
１・・・ＬＥＤユニット
１１・・・表示部
１２・・・駆動時間制御部
１３・・・輝度補正部
１４・・・電流供給部
１７・・・コモンドライバー
１８・・・アドレス生成部
１９・・・画像入力部
３１・・・補正データ制御部
３２・・・補正データ記憶部
３３・・・通信部
５・・・画像表示補正装置
５１・・・輝度制御部
５２・・・輝度入力部
５３・・・ＣＣＤ校正部
５４・・・輝度データ記憶部
５５・・・画像出力部
５６・・・通信部
７・・・ＣＣＤカメラ
【図１】
0004501205.tif 000002
【図２】
0004501205.tif 000003
【図３】
0004501205.tif 000004
【図４】
0004501205.tif 000005
【図５】
0004501205.tif 000006
【図６】
0004501205.tif 000007